(57)【要約】【課題】信号の伝送周波数が地上のテレビ放送に対応して設定されたＣＡＴＶシステムにおいて，ＢＳ受信信号を伝送でき，しかも，加入者端末では，既存のＢＳチューナを用いてＢＳ放送を受信できるようにする。【解決手段】ミキサ２３には１４６６．９８ＭＨｚの第１基準信号が，ミキサ３３は１６２０．４２ＭＨｚの第２基準信号が入力される。ミキサ２３は第１基準信号を用いてチャンネル１，３，５，７，９分のＢＳ受信信号を周波数変換する。ミキサ３３は第２基準信号を用いてチャンネル１３，１５分のＢＳ受信信号を周波数変換する。周波数変換された信号からチャンネル１，３，９及びチャンネル１３，１５を選択的に抽出し，互いに周波数が異なり，且つ，連続したチャンネル配列となる。各チャンネルに対応するＢＳチャンネル中間周波信号は混合されてＢＳ中間周波信号として出力される。【選択図】  図２
2007005925.tif 000002
【特許請求の範囲】
【請求項１】
衛星放送からの送信電波を受信すると共に，該受信電波を，元の周波数より低く，且つ，地上のテレビ放送に割り当てられたＶＨＦ帯及びＵＨＦ帯の放送周波数よりも高い所定周波数帯のＢＳ受信信号に周波数変換して出力するＢＳアンテナをヘッドエンドに備え，該ＢＳアンテナからのＢＳ受信信号と，他のテレビ放送信号とを，共通の伝送線を介して，複数の加入者側端末まで伝送するＣＡＴＶシステムにおいて，
前記ヘッドエンド側に，前記ＢＳアンテナからのＢＳ受信信号の中から抽出した１又は連続する複数チャンネル分のＢＳ受信信号を２グループ以上抽出し，各グループのＢＳ受信信号を，夫々，前記ＶＨＦ帯の地上のテレビ放送に割り当てられている周波数帯域とＵＨＦ帯の地上のテレビ放送に割り当てられている周波数帯域との間の中間帯域内のＢＳ中間周波信号であって，該ＢＳ中間周波信号の中に含まれる，前記各チャンネルに対応する所定周波数帯域を有するＢＳチャンネル中間周波信号の中から所定の信号を選択的に抽出したときに，該ＢＳチャンネル中間周波信号が，互いに周波数が異なリ，且つ，連続して配列したＢＳ中間周波信号に周波数変換して伝送線上に送出するダウンコンバータと，
前記，各加入者側の伝送線上に，前記ヘッドエンドから伝送されてきた前記各グループのＢＳ中間周波信号を，夫々，前記ＢＳアンテナから出力された元の周波数帯のＢＳ受信信号に周波数変換すると共に，該周波数変換後のＢＳ受信信号を混合して加入者側端末へと送出するアップコンバータを設けたことを特徴とするＣＡＴＶシステム。
【請求項２】
請求項１に記載のＣＡＴＶシステムにおいて，前記ヘッドエンド側に設けられるダウンコンバータであって，
前記ＢＳアンテナからの全８チャンネルあるＢＳ受信信号の中から，チャンネルＢＳ−１，３，５，７，９に対応する周波数帯域の第１グループのＢＳ受信信号と，チャンネルＢＳ−１３，１５に対応する周波数帯域の第２グループのＢＳ受信信号と，の２つのグループのＢＳ受信信号を抽出するＢＳ受信信号抽出手段と， 
該ＢＳ受信信号抽出手段にて抽出された各グループのＢＳ受信信号を，夫々，ＶＨＦ帯の地上のテレビ放送に割り当てられている周波数帯域とＵＨＦ帯の地上のテレビ放送に割り当てられている周波数帯域との間の中間帯域内のＢＳ中間周波信号に周波数変換する２つの第１周波数変換手段と，
該２つの周波数変換手段にて周波数変換された各グループのＢＳ中間周波信号の中から，前記第１グループのチャンネルＢＳ−１，３，９に対応するＢＳチャンネル中間周波信号と，前記第２グループのチャンネルＢＳ−１３，１５に対応するＢＳチャンネル中間周波信号と，を選択的に抽出する第１ＢＳチャンネル中間周波信号抽出手段と，
該第１ＢＳチャンネル中間周波信号抽出手段において抽出された複数のＢＳチャンネル中間周波信号と，外部から入力される他のテレビ放送信号とを混合して前記伝送線上に送出する伝送信号混合手段と，
前記２つの第１周波数変換手段が前記２つのグループのＢＳ受信信号を，前記中間帯域内の所定周波数帯のＢＳ中間周波信号に周波数変換するのに必要な２つの基準信号を生成する第１基準信号生成手段と，から成り，
該第１基準信号生成手段において生成される２つの基準信号と前記第１ＢＳチャンネル中間周波信号抽出手段は，前記ＢＳ中間周波信号に含まれる，前記チャンネルＢＳ−１，３，９及びチャンネルＢＳ−１３，１５に対応する各ＢＳチャンネル中間周波信号が，互いに周波数が異なリ，且つ，連続したチャンネル配列のＢＳ中間周波信号として伝送線上に送出するように夫々設定されたことを特徴とするダウンコンバータ。
【請求項３】
請求項１に記載のＣＡＴＶシステムにおいて，各加入者側の伝送線上に設けられるアップコンバータであって，
前記ヘッドエンドからの伝送信号の中から，前記第１グループのチャンネルＢＳ−１，３，９に対応するＢＳチャンネル中間周波信号と，前記第２グループのチャンネルＢＳ−１３，１５に対応するＢＳチャンネル中間周波信号と，を選択的に抽出する第２ＢＳチャンネル中間周波信号抽出手段と，
該第２ＢＳチャンネル中間周波信号抽出手段にて抽出された前記各グループのＢＳチャンネル中間周波信号を，夫々，前記ＢＳアンテナから出力された元の周波数帯のＢＳ受信信号に周波数変換する２つの第２周波数変換手段と，
該２つの第２周波数変換手段にて周波数変換された２グループのＢＳ受信信号を混合して加入者側端末へと送出するＢＳ受信信号混合手段と，
前記２つの周波数変換手段が前記各グループのＢＳ中間周波信号を元のＢＳ受信信号に周波数変換するのに使用する基準信号として，前記ヘッドエンド側ダウンコンバータが前記各グループのＢＳ受信信号をＢＳ中間周波信号に周波数変換するのに用いた基準信号と同一周波数の基準信号を生成する第２基準信号生成手段と，
を備えたことを特徴とするアップコンバータ。
【発明の詳細な説明】
【技術分野】
【０００１】
本発明は，衛星放送（ＢＳ）からの送信信号を受信するＢＳアンテナからのＢＳ受信信号を地上のテレビ放送信号と共に端末側に伝送するＣＡＴＶシステム，及び，このＣＡＴＶシステムにてＢＳ受信信号を端末側に伝送するのに好適なダウンコンバータ並びにアップコンバータに関する。
【背景技術】
【０００２】
ＣＡＴＶシステムを用いてＢＳアンテナからの受信信号と，他のテレビ放送信号とを，伝送しようとする場合，一般的なＣＡＴＶシステムにおける伝送可能な周波数帯域は７０〜７７０ＭＨｚであり，既存のＶＨＦ帯の地上波アナログ放送が９０〜２２２ＭＨｚに割り当てられ，ＵＨＦ帯の地上波ディジタル放送と地上波アナログ放送が４７０〜７７０ＭＨｚに割り当てられていることから，例えば，前記ＣＡＴＶシステムに，ＢＳアンテナからのＢＳ受信信号の変調方式を変えず，伝送可能な帯域に周波数変換して伝送するＢＳ周波数変換パススルー方式を用いて追加しようとすると，ＢＳ受信信号の帯域幅は３００ＭＨｚあるので，この帯域を全て伝送するのは困難である。従って，上述のような一般的なＣＡＴＶシステムにおいては，全８チャンネル（チャンネルＢＳ−１，３，５，７，９，１１，１３，１５と記載する）あるＢＳ受信信号の内から，ＢＳディジタル放送用の４チャンネル（チャンネルＢＳ−１，３，１３，１５）分のＢＳ受信信号を，ＣＡＴＶ伝送に適した帯域の周波数に変換し伝送する周波数変換パススルー方式を用いて追加・伝送するシステムが提案されている。
【０００３】
このＣＡＴＶシステムでは，ヘッドエンド側のダウンコンバータにおいて，ＢＳアンテナからのＢＳ受信信号の中から，１又は連続する複数チャンネル分のＢＳ受信信号を２グループ以上抽出（例えば，チャンネルＢＳ−１，３を１グループとし，チャンネルＢＳ１３，１５を１グループとする２グループを抽出する）し，各グループのＢＳ受信信号を，夫々，ＶＨＦ帯の地上のテレビ放送に割り当てられている周波数帯域とＵＨＦ帯の地上のテレビ放送に割り当てられている周波数帯域との間の中間帯域内で，且つ，互いに周波数帯が異なるＢＳ中間周波信号に周波数変換し，加入者側の伝送線上には，前記ヘッドエンドから伝送されてきた前記各グループのＢＳ中間周波信号を，夫々，前記ＢＳアンテナから出力された元の周波数帯のＢＳ受信信号に周波数変換すると共に，該周波数変換後のＢＳ受信信号を混合して加入者端末へと送出するアップコンバータを設けることによって，最終的にアップコンバータから加入者端末側へ送出されるチャンネル配列は，元のＢＳ受信信号のチャンネル配列と同じにできことから，加入者端末では既存のＢＳチューナを用いてＢＳ放送を受信することが出来るＣＡＴＶシステムが提案されている。
（例えば，特許文献１の実施例２参照）
【０００４】
【特許文献１】特開２００１−８６４７７号公報
【発明の開示】
【発明が解決しようとする課題】
【０００５】
ところで，現在，ＢＳ受信信号のチャンネルＢＳ−９ではＢＳアナログハイビジョン放送が行われており，上述のような現在運用されているＢＳディジタル放送のＢＳ受信信号を追加するように構成されたＣＡＴＶシステムにおいても，加入者側にＢＳアナログハイビジョン放送を再送出するようなことは特に考慮されてこなかった。しかしながら，このＢＳアナログハイビジョン放送は２００７年には終了する予定と成っており，このＢＳアナログハイヴィジョン放送が終了した後には，該放送が行われてきたチャンネルＢＳ−９を使って，ＢＳディジタル放送が新たに開始されることが考えられるのであるが，従来例に述べたようなＣＡＴＶシステムにチャンネルＢＳ−９を追加するためには，上述の実施例に示したようのチャンネルＢＳ−１，３のグループとチャンネルＢＳ−１３，１５のグループに加えて，チャンネルＢＳ−９を含むグループとの３系統のコンバータを備えさせる必要があり，これによって，回路を構成する部品が増え回路のスペースを大きくする必要があることから，製品形状も大きくなり，延いては製品コストがアップするといった問題があった。更にはＶＨＦ帯とＵＨＦ帯との間の前記中間帯域内には，パイロット信号も送出されていることから，上述のような３系統のコンバータを備え５チャンネル分の伝送を行おうとするとフィルタの構成が複雑となり，延いてはコストアップとなる問題があった。
そこで本願においては，こうした問題点を解決するためになされたものであり，
その目的は，信号の伝送周波数が地上のテレビ放送に加えてＢＳ受信信号を伝送でき，しかも，加入者側端末では，既存のＢＳチューナを用いてＢＳ放送を受信できるＣＡＴＶシステムを安価に構成できるようにする。
他の目的は，上記ＣＡＴＶシステムのヘッドエンド側に設けられ，小型で且つ安価であって所望の特性を有するダウンコンバータを提供する事にある。
他の目的は，上記ＣＡＴＶシステムの各加入者側の伝送線上に設けられ，小型で且つ安価であって所望の特性を有するアップコンバータを提供する事にある。
【課題を解決するための手段】
【０００６】
上記課題を解決するために，請求項１の発明は，衛星放送からの送信電波を受信すると共に，該受信電波を，元の周波数より低く，且つ，地上のテレビ放送に割り当てられたＶＨＦ帯及びＵＨＦ帯の放送周波数よりも高い所定周波数帯のＢＳ受信信号に周波数変換して出力するＢＳアンテナをヘッドエンドに備え，該ＢＳアンテナからのＢＳ受信信号と，他のテレビ放送信号とを，共通の伝送線を介して，複数の加入者側端末まで伝送するＣＡＴＶシステムにおいて，前記ヘッドエンド側に，前記ＢＳアンテナからのＢＳ受信信号の中から抽出した１又は連続する複数チャンネル分のＢＳ受信信号を２グループ以上抽出し，各グループのＢＳ受信信号を，夫々，前記ＶＨＦ帯の地上のテレビ放送に割り当てられている周波数帯域とＵＨＦ帯の地上のテレビ放送に割り当てられている周波数帯域との間の中間帯域内のＢＳ中間周波信号であって，該ＢＳ中間周波信号の中に含まれる，前記各チャンネルに対応する所定周波数帯域え有するＢＳチャンネル中間周波信号の中から所定の信号を選択的に抽出したときに，該ＢＳチャンネル中間周波信号が，互いに周波数が異なリ，且つ，連続して配列したＢＳ中間周波信号に周波数変換して伝送線上に送出するダウンコンバータと，前記，各加入者側の伝送線上に，前記ヘッドエンドから伝送されてきた前記各グループのＢＳ中間周波信号を，夫々，前記ＢＳアンテナから出力された元の周波数帯のＢＳ受信信号に周波数変換すると共に，該周波数変換後のＢＳ受信信号を混合して加入者側端末へと送出するアップコンバータを設けた
【０００７】
請求項２の発明は，請求項１に記載のＣＡＴＶシステムにおいて，前記ヘッドエンド側に設けられるダウンコンバータであって，前記ＢＳアンテナからの全８チャンネルあるＢＳ受信信号の中から，チャンネルＢＳ−１，３，５，７，９に対応する周波数帯域の第１グループのＢＳ受信信号と，チャンネルＢＳ−１３，１５に対応する周波数帯域の第２グループのＢＳ受信信号と，の２つのグループのＢＳ受信信号を抽出するＢＳ受信信号抽出手段と， 該ＢＳ受信信号抽出手段にて抽出された各グループのＢＳ受信信号を，夫々，ＶＨＦ帯の地上のテレビ放送に割り当てられている周波数帯域とＵＨＦ帯の地上のテレビ放送に割り当てられている周波数帯域との間の中間帯域内のＢＳ中間周波信号に周波数変換する２つの第１周波数変換手段と，該２つの周波数変換手段にて周波数変換された各グループのＢＳ中間周波信号の中から，前記第１グループのチャンネルＢＳ−１，３，９に対応するＢＳチャンネル中間周波信号と，前記第２グループのチャンネルＢＳ−１３，１５に対応するＢＳチャンネル中間周波信号と，を選択的に抽出する第１ＢＳチャンネル中間周波信号抽出手段と，該第１ＢＳチャンネル中間周波信号抽出手段において抽出された複数のＢＳチャンネル中間周波信号と，外部から入力される他のテレビ放送信号とを混合して前記伝送線上に送出する伝送信号混合手段と，前記２つの第１周波数変換手段が前記２つのグループのＢＳ受信信号を，前記中間帯域内の所定周波数帯のＢＳ中間周波信号に周波数変換するのに必要な２つの基準信号を生成する第１基準信号生成手段と，から成り，該第１基準信号生成手段において生成される２つの基準信号と前記第１ＢＳチャンネル中間周波信号抽出手段は，前記ＢＳ中間周波信号に含まれる，前記チャンネルＢＳ−１，３，９及びチャンネルＢＳ−１３，１５に対応する各ＢＳチャンネル中間周波信号が，互いに周波数が異なリ，且つ，連続したチャンネル配列のＢＳ中間周波信号として伝送線上に送出するように夫々設定されている。
【０００８】
請求項３の発明は，請求項１に記載のＣＡＴＶシステムにおいて，各加入者側の伝送線上に設けられるアップコンバータであって，前記ヘッドエンドからの伝送信号の中から，前記第１グループのチャンネル１，３，９に対応するＢＳチャンネル中間周波信号と，前記第２グループのチャンネル１３，１５に対応するＢＳチャンネル中間周波信号と，を選択的に抽出する第２ＢＳチャンネル中間周波信号抽出手段と，該第２ＢＳチャンネル中間周波信号抽出手段にて抽出された前記各グループのＢＳチャンネル中間周波信号を，夫々，前記ＢＳアンテナから出力された元の周波数帯のＢＳ受信信号に周波数変換する２つの第２周波数変換手段と，該２つの第２周波数変換手段にて周波数変換された２グループのＢＳ受信信号を混合して加入者側端末へと送出するＢＳ受信混合手段と，前記２つの周波数変換手段が前記各グループのＢＳ中間周波信号を元のＢＳ受信信号に周波数変換するのに使用する基準信号として，前記ヘッドエンド側ダウンコンバータが前記各グループのＢＳ受信信号をＢＳ中間周波信号に周波数変換するのに用いた基準信号と同一周波数の基準信号を生成する第２基準信号生成手段と，を備えた。
【発明の効果】
【０００９】
請求項１の発明によれば，衛星放送からの送信電波を受信すると共に，該受信電波を，元の周波数より低く，且つ，地上のテレビ放送に割り当てられたＶＨＦ帯及びＵＨＦ帯の放送周波数よりも高い所定周波数帯のＢＳ受信信号に周波数変換して出力するＢＳアンテナをヘッドエンドに備え，該ＢＳアンテナからのＢＳ受信信号と，他のテレビ放送信号とを，共通の伝送線を介して，複数の加入者側端末まで伝送するＣＡＴＶシステムにおいて，
前記ヘッドエンド側に，前記ＢＳアンテナからのＢＳ受信信号の中から抽出した１又は連続する複数チャンネル分のＢＳ受信信号を２グループ以上抽出し，各グループのＢＳ受信信号を，夫々，前記ＶＨＦ帯の地上のテレビ放送に割り当てられている周波数帯域とＵＨＦ帯の地上のテレビ放送に割り当てられている周波数帯域との間の中間帯域内のＢＳ中間周波信号であって，該ＢＳ中間周波信号の中に含まれる，前記各チャンネルに対応する所定周波数帯域え有するＢＳチャンネル中間周波信号の中から所定の信号を選択的に抽出したときに，該ＢＳチャンネル中間周波信号が，互いに周波数が異なリ，且つ，連続して配列したＢＳ中間周波信号に周波数変換して伝送線上に送出するダウンコンバータと，前記，各加入者側の伝送線上に，前記ヘッドエンドから伝送されてきた前記各グループのＢＳ中間周波信号を，夫々，前記ＢＳアンテナから出力された元の周波数帯のＢＳ受信信号に周波数変換すると共に，該周波数変換後のＢＳ受信信号を混合して加入者側端末へと送出するアップコンバータを設けたので，
本発明に係るＣＡＴＶシステムにおいては，ＢＳディジタル放送用の４チャンネル（チャンネル１，３，１３，１５）分のＢＳ受信信号に加えて，現在，チャンネル９で行われているＢＳアナログハイビジョン放送が２００７年に終了し，その後にチャンネル９がＢＳディジタル放送に移行した場合であっても，これらの５チャンネル分のＢＳ受信信号を，既に割り当てられているＶＨＦ帯域とＵＨＦ帯域の地上のテレビ放送との中間帯域内で伝送でき，既存のＣＡＴＶシステムであっても，地上のテレビ放送の帯域に影響を与えることなく伝送できるようにすることができる。
また，本発明によれば，最終的にアップコンバータから加入者端末側へ送出されるＢＳ受信信号のチャンネル配列は，元にＢＳ中間受信信号のチャンネル配列と同じになることによって，加入者側端末では，既存のＢＳチューナを用いてＢＳディジタル放送を受信することが出来き，簡単且つ安価にＣＡＴＶシステムが構成できるのである。
【００１０】
請求項２の発明によれば，請求項１に記載のＣＡＴＶシステムにおいて，前記ヘッドエンド側に設けられるダウンコンバータであって，前記ＢＳアンテナからの全８チャンネルあるＢＳ受信信号の中から，チャンネルＢＳ−１，３，５，７，９に対応する周波数帯域の第１グループのＢＳ受信信号と，チャンネルＢＳ−１３，１５に対応する周波数帯域の第２グループのＢＳ受信信号と，の２つのグループのＢＳ受信信号を抽出するＢＳ受信信号抽出手段と， 該ＢＳ受信信号抽出手段にて抽出された各グループのＢＳ受信信号を，夫々，ＶＨＦ帯の地上のテレビ放送に割り当てられている周波数帯域とＵＨＦ帯の地上のテレビ放送に割り当てられている周波数帯域との間の中間帯域内のＢＳ中間周波信号に周波数変換する２つの第１周波数変換手段と，該２つの周波数変換手段にて周波数変換された各グループのＢＳ中間周波信号の中から，前記第１グループのチャンネルＢＳ−１，３，９に対応するＢＳチャンネル中間周波信号と，前記第２グループのチャンネルＢＳ−１３，１５に対応するＢＳチャンネル中間周波信号と，を選択的に抽出する第１ＢＳチャンネル中間周波信号抽出手段と，該第１ＢＳチャンネル中間周波信号抽出手段において抽出された複数のＢＳチャンネル中間周波信号と，外部から入力される他のテレビ放送信号とを混合して前記伝送線上に送出する伝送信号混合手段と，前記２つの第１周波数変換手段が前記２つのグループのＢＳ受信信号を，前記中間帯域内の所定周波数帯のＢＳ中間周波信号に周波数変換するのに必要な２つの基準信号を生成する第１基準信号生成手段と，から成り，該第１基準信号生成手段において生成される２つの基準信号と前記第１ＢＳチャンネル中間周波信号抽出手段は，前記ＢＳ中間周波信号に含まれる，前記チャンネルＢＳ−１，３，９及びチャンネルＢＳ−１３，１５に対応する各ＢＳチャンネル中間周波信号が，互いに周波数が異なリ，且つ，連続したチャンネル配列のＢＳ中間周波信号として伝送線上に送出するように夫々設定したので，
ＢＳディジタル放送用の４チャンネル（チャンネル１，３，１３，１５）分のＢＳ受信信号に加えて，現在，チャンネル９で行われているＢＳアナログハイビジョン放送が２００７年に終了し，その後にチャンネル９がＢＳディジタル放送に移行した場合であっても，ＢＳ受信信号においては略３００ＭＨｚにわたって不連続に配列されたチャンネル１，３，９，１３，１５を，従来例と同様な２グループに分けて周波数変換して，夫々，ＶＨＦ帯とＵＨＦ帯との間に位置する中間帯域内（所謂，スーパーハイバンドとして知られる２２２乃至４６８ＭＨｚの帯域）に周波数変換する方法を用いて，前記５チャンネル分の各ＢＳチャンネル中間周波信号を略１８２ＭＨｚの周波数範囲であるＢＳ中間周波信号に，互いに周波数が異なり，前記チャンネルが連続的に配列されるように，簡単な回路構成で実現することができるので，周波数の有効利用ができるばかりでなく，これによって，前記中間帯域内に占めるＢＳ中間周波信号の割合が必要以上に広くならない（即ち，ＶＨＦ帯の上限周波数及びＵＨＦ帯の下限周波数とＢＳ中間周波信号との間の阻止帯域が広くなる。）ことから，例えばバンドパスフィルタ等のフィルタ手段の開発が簡単になるばかりでなく，フィルタ手段の構成が簡単にできるため，研究費，部品コスト，調整費等が削減でき，安価で且つ小型で，所望の特性の特性を有するダウンコンバータであって，既存の一般的なＣＡＴＶシステムにおいてＢＳ放送を受信するために，ヘッドエンド側に配設するのに好適なダウンコンバータを提供する事ができる。
【００１１】
請求項３の発明によれば，請求項１に記載のＣＡＴＶシステムにおいて，各加入者側の伝送線上に設けられるアップコンバータであって，前記ヘッドエンドからの伝送信号の中から，前記第１グループのチャンネル１，３，９に対応するＢＳチャンネル中間周波信号と，前記第２グループのチャンネル１３，１５に対応するＢＳチャンネル中間周波信号と，を選択的に抽出する第２ＢＳチャンネル中間周波信号抽出手段と，該第２ＢＳチャンネル中間周波信号抽出手段にて抽出された前記各グループのＢＳチャンネル中間周波信号を，夫々，前記ＢＳアンテナから出力された元の周波数帯のＢＳ受信信号に周波数変換する２つの第２周波数変換手段と，該２つの第２周波数変換手段にて周波数変換された２グループのＢＳ受信信号を混合して加入者側端末へと送出するＢＳ受信信号混合手段と，前記２つの周波数変換手段が前記各グループのＢＳ中間周波信号を元のＢＳ受信信号に周波数変換するのに使用する基準信号として，前記ヘッドエンド側ダウンコンバータが前記各グループのＢＳ受信信号をＢＳ中間周波信号に周波数変換するのに用いた基準信号と同一周波数の基準信号を生成する第２基準信号生成手段と，を備えたので，
ＢＳディジタル放送用の４チャンネル（チャンネル１，３，１３，１５）分のＢＳ受信信号に加えて，現在，チャンネル９で行われているＢＳアナログハイビジョン放送が２００７年に終了し，その後にチャンネル９がＢＳディジタル放送に移行した場合であっても，これらの５チャンネル分から成るＢＳ中間周波信号を，最適化された２つの周波数変換手段を備えさせることによって，夫々，元のＢＳ受信信号にアップコンバートすることができ，既存の一般的なＣＡＴＶシステムであっても，加入者端末側の伝送線上に，一般的に市販されているＢＳチューナを配設するだけでＢＳ放送を受信することができる，小型で且つ安価であって所望の特性を有するアップコンバータを提供する事ができる。
【発明を実施するための最良の形態】
【００１２】
以下に，本発明を具体化した実施形態の例を，図面を基に詳細に説明する。先ず図１は実施例のＣＡＴＶシステムの全体構成を示すブロック図である。
【実施例１】
【００１３】
図１に示すように，本実施例のＣＡＴＶシステムは，７０乃至７７０ＭＨｚの信号を伝送可能に構成され，ヘッドエンド１から放送信号を送出し，伝送線（詳しくは，幹線，分岐線，分配線，引込線）６及び伝送線上に設けられている分岐増幅器２，延長増幅器３，タップオフ４，保安器５等を介して，加入者宅に放送信号を供給している。
加入者宅内にはアップコンバータ１００が備えられており，該アップコンバータ１００の出力端子Ｔｏｕｔからは，前記７０乃至７７０ＭＨｚの信号と，ＢＳ受信信号であるＢＳ−ＩＦ信号が出力されている。
７は７７０ＭＨｚ以下の信号と，１０３０ＭＨｚ以上の信号を分波するための分波器であり，当該分波器７を介して夫々，ＢＳチューナ８，テレビ受像機９へと接続されている。
【００１４】
次に，ＣＡＴＶシステムを構成するヘッドエンドについて説明する。図２は，ヘッドエンドの構成を説明するためのブロック図である。図２に示す様に，ヘッドエンド１は，地上局から送出される地上波放送信号，詳しくは，ＶＨＦ帯域（９０乃至１０８，１７０乃
至２２２ＭＨｚ）のアナログ放送信号及びＵＨＦ帯域（４７０乃至７７０ＭＨｚ）の放送信号（アナログ及びディジタル）を受信するための地上波放送受信アンテナ１１と，地上波放送受信アンテナ１１によって受信された地上波放送信号を所定レベルに増幅するための受信増幅器１２と，を備え，又，放送衛星から送出される衛星放送信号を受信し，ＢＳ受信信号（本願の実施例では１０３０乃至１３３７ＭＨｚの領域範囲内の所定周波数帯域）に周波数変換して出力するＢＳアンテナ１４と，ＢＳ受信信号を所定レベルに増幅するための受信増幅器１５と，ＢＳ受信信号を当該ＣＡＴＶシステムにおいて伝送可能な周波数帯域（７０乃至７７０ＭＨｚ）内の，ＶＨＦ帯の地上のテレビ放送に割り当てられている周波数帯域とＵＨＦ帯の地上のテレビ放送に割り当てられている周波数帯域との間の中間帯域内のＢＳ中間周波信号に周波数変換するダウンコンバータ部２０と，を備え，地上波放送信号と，ダウンコンバータ部２０において周波数変換されたＢＳ中間周波信号と，を混合器１３によって混合し，出力端子Ｔｏｕｔから出力するものである。
尚，図示しないが，ヘッドエンド１には，分岐増幅器２等において伝送信号のレベル調整等に用いられる４５１．２５ＭＨｚのパイロット信号を生成するためのパイロット信号生成器も備えられており，この生成されたパイロット信号は，地上波放送信号及びダウンコンバータ部２０において周波数変換されたＢＳ中間周波信号に混合され，出力端子Ｔｏｕｔから出力される。
【００１５】
ダウンコンバータ部２０では，まず分配器２１によってＢＳ受信信号が２分配され，各々フィルタ手段２２，３２に入力される。本願に実施例では前記フィルタ手段２２，３２はバンドパスフィルタ（以下ＢＰＦという。）で構成されている。ＢＰＦ２２の通過可能周波数帯域は，例えば１０３０乃至１２２０ＭＨｚであり，ＢＰＦ３２の通過可能周波数帯域は１２６０乃至１３３７ＭＨｚである。このため，ＢＰＦ２２からは，全８チャンネル（チャンネルＢＳ−１，３，５，７，９，１１，１３，１５。以下，チャンネル番号は特に明示しない限りチャンネル１，３，５，７，９，１１，１３，１５と記載する）の衛星放送の内からチャンネル１，３，５，７，９に対応する１０３４．９８乃至１２１６．４２ＭＨｚのＢＳ受信信号が出力され，同様に，ＢＰＦ３２からは，チャンネル１３，１５に対応する１２６６．１４乃至１３３１．５ＭＨｚのＢＳ受信信号が出力されることになる。
そして，ＢＰＦ２２からの出力信号は，ミキサ２３に入力され，ＢＰＦ３２からの出力信号は，ミキサ３３に入力される。又，ミキサ２３には，発振周波数１４６６．９８ＭＨｚの局部発振器３９から出力される第１基準信号が，増幅器４０及びＢＰＦ４１（通過可能周波数：１４６６．９８ＭＨｚ）を介して入力され，ミキサ３３には，発振周波数１６２０．４２ＭＨｚの局部発振器４２から出力される第２基準信号が，増幅器４３及びＢＰＦ４４（通過可能周波数：１６２０．４２ＭＨｚ）を介して入力される。
【００１６】
そして，ミキサ２３は，ＢＰＦ２２を通過した１０３４．９８乃至１２１６．４２ＭＨｚのＢＳ受信信号を，１４６６．９８ＭＨｚの第１基準信号を用いて周波数変換することによって，前記第１基準信号の周波数（１４６６．９８ＭＨｚ）からチャンネル１，３，５，７，９に対応するＢＳ受信信号の周波数を減じた２５０．５６乃至４３２ＭＨｚのＢＳ中間周波信号（以下「第１ＢＳ中間周波信号」という。）が出力される。このとき前記第１基準信号の周波数が前記ＢＳ受信信号より高い周波数であるので，前記ＢＳ中間周波信号における前記チャンネル配列は周波数の低い順にチャンネル９，７，５，３，１と配列される。
同様に，ミキサ３３は，ＢＰＦ３２を通過した１２６６．１４乃至１３３１．５ＭＨｚのＢＳ受信信号を，１６２０．４２ＭＨｚの第２基準信号を用いて周波数変換することによって，第２基準信号の周波数（１６２０．４２ＭＨｚ）からチャンネル１３，１５に対応するＢＳ受信信号の周波数を減じた２８８．９２乃至３５４．２８ＭＨｚのＢＳ中間周波信号（以下「第２ＢＳ中間周波信号」という。）が出力され，前記第２基準信号の周波数が前記ＢＳ受信信号より高い周波数であるので，前記ＢＳ中間周波信号における前記チャンネル配列は周波数の低い順にチャンネル１５，１３と配列される。
【００１７】
次に前記ミキサ２３から出力された第１ＢＳ中間周波信号は分配器２４に入力される。この分配器２４は，本実施例では３分配器であり，該３分配器から出力された各第１ＢＳ中間周波信号は，第１フィルタ手段２５，第２フィルタ手段２６，第３フィルタ手段２７に入力される。ＢＳ放送においては，各チャンネルの帯域幅は２７ＭＨｚであるように決められていることから，本願の実施例では第１フィルタ手段２５は通過可能周波数帯域が，少なくとも２５０．５６乃至２７７．５６ＭＨｚの２７ＭＨｚ帯域であり，例えばコンデンサやコイルから成るＢＰＦで構成されている。同様に，第２フィルタ手段２６は通過可能周波数帯域が，少なくとも３６５．６４乃至３９２．６４ＭＨｚである，例えばＢＰＦで構成され，第３フィルタ手段は通過可能周波数帯域が，少なくとも４０５乃至４３２ＭＨｚである，例えばＢＰＦで構成されている。本願においてはこれらのＢＰＦの通過可能周波数帯域を２７ＭＨｚとしたが，阻止帯域が所定の減衰量を得られるならば通過可能周波数帯域を実施例より広くしてもよい。
従って，本願の実施例では，前記ＢＰＦ２５からは前記第１ＢＳ中間周波信号から前記チャンネル９に対応するＢＳチャンネルチャンネル中間周波信号が選択的に出力され，前記ＢＰＦ２６からは前記第１ＢＳ中間周波信号から前記チャンネル３に対応するＢＳチャンネルチャンネル中間周波信号が選択的に出力され，前記ＢＰＦ２７からは前記第１ＢＳ中間周波信号から前記チャンネル１に対応するＢＳチャンネルチャンネル中間周波信号が選択的に通過し出力され，ＢＳ受信信号に含まれるチャンネル５，７に対応するＢＳチャンネルチャンネル中間周波信号の通過は阻止される。
尚，本願の実施例では，ＢＰＦでチャンネル１，３，９に対応する各ＢＳチャンネル中間周波信号を抽出するように構成したが，チャンネル１，３，９を通過しチャンネル５，７を所定量阻止すれよいことから，ＢＰＦとバンドエレミネーションフィルタ（以下，ＢＥＰと記載する。）との組み合わせでもよく，実施例に限定されるものではない。
そして，各ＢＳチャンネル中間周波信号は混合器２８において混合された後に，少なくとも通過可能周波数帯域が，２５０．５６乃至４３２ＭＨｚのＢＰＦ２９を介して，チャンネル９，３，１に対応するＢＳチャンネルチャンネル中間周波信号を通過し，チャンネル５，７に対応したＢＳチャンネルチャンネル中間周波信号が阻止された，第１−１ＢＳ中間周波信号となって出力される。
【００１８】
次に前記ミキサ３３から出力された第２ＢＳ中間周波信号は分配器３４に入力される。この分配器３４は，本実施例では２分配器であり，該２分配器から出力された各第２ＢＳ中間周波信号は，第４フィルタ手段３５，第５フィルタ手段３６に入力される。本願の実施例では第４フィルタ手段は通過可能周波数帯域が，少なくとも２８８．９２乃至３１５．９２ＭＨｚであり，例えばＢＰＦで構成されている。同様に，第５フィルタ手段は通過可能周波数帯域が，少なくとも３２７．２８乃至３５４．２８ＭＨｚである，例えばＢＰＦで構成されている。本願においてはこれらのＢＰＦの通過可能周波数帯域を２７ＭＨｚとしたが，阻止帯域が所定の減衰量を得られるならば通過可能周波数帯域を実施例より広くしてもよい。
従って，前記ＢＰＦ３５からは前記第２ＢＳ中間周波信号から前記チャンネル１５に対応するＢＳチャンネル中間周波信号が選択的に出力され，前記ＢＰＦ３６からは前記第２ＢＳ中間周波信号から前記チャンネル１３に対応するＢＳチャンネルチャンネル中間周波信号が選択的に出力されることになる。
尚，本願の実施例ではＢＰＦ３５，３６でＢＳチャンネル中間周波信号を抽出するように構成したが，チャンネル１３，１５を抽出する１つのＢＰＦで構成してもよく，特に実施例に限定されるものではない。
そして，各ＢＳチャンネルチャンネル中間周波信号は混合器３８において混合された後に，少なくとも通過可能周波数帯域が，少なくとも２８８．９２乃至３５４．２８ＭＨｚのＢＰＦ３９を介して第２−１ＢＳ中間周波信号となって出力される。
【００１９】
そして，第１−１ＢＳ中間周波信号及び第２−１ＢＳ中間周波信号は，混合器３０によって混合されることによって，各ＢＳチャンネルチャンネル中間周波信号は，互いに周波数が異なり，且つ，連続した配列となったＢＳ中間周波信号として出力される。即ちチャンネル９，３，１と配列された第１−１ＢＳ中間周波信号のチャンネル９とチャンネル３との間に，チャンネル１５，１３の前記第２−１ＢＳ中間周波信号が配列され，周波数の低い順にチャンネル９，１５，１３，３，１と配列されたＢＳ中間周波信号となるのである。このように配列されたＢＳ中間周波信号は，次に地上波放送信号と混合するための混合器１３に入力されて地上放送信号と混合された後に出力端子Ｔｏｕｔから出力される。
【００２０】
尚，本願におけるＢＰＦ２２，ＢＰＦ３２は，チャンネル１，３，５，７，９とチャンネル１３，１５の２グループを抽出するように構成されているが，チャンネル１，３，５，７，９を通過するフィルタにチャンネル５，７を阻止するＢＥＰを備えさせ，ミキサ２３の入力側においてチャンネル５，７を阻止するように構成してもよい。
また，本願の実施例においては第１基準信号と第２基準信号は，前記第１ＢＳ中間周波信号と第２ＢＳ中間周波信号とが，ＶＨＦ帯とＵＨＦ帯の中間帯域内であって，例えば２２２ＭＨｚ乃至４５１．２５ＭＨｚ（パイロット信号が送出されている周波数）との範囲内における略中央に周波数変換されるように設定した一例を示したものであり，特にこの実施例に示す局発周波数に限定されるものではない。
また，ＢＰＦ２５，ＢＰＦ２６，ＢＰＦ２７，ＢＰＦ３５，ＢＰＦ３６も，前記第１周波数変換手段によって周波数変換された信号からチャンネル１，３，９に対応する信号を抽出するように構成されたものであり，周波数変換されたＢＳ中間周波信号が異なれば，それに対応してその通過可能周波数範囲を適宜に変更してもよい事は言うまでもない。
尚，この実施例におけるＢＳ受信信号，第１−１ＢＳ中間周波信号，第２−１ＢＳ中間周波信号，ＢＳ中間周波信号の周波数分布は，図２に示す通りである。
【００２１】
そして，地上波放送信号，第１−１ＢＳ中間周波信号，第２−１ＢＳ中間周波信号が混合された伝送信号が加入者宅まで伝送されると，加入者宅では，アップコンバータ１００によって第１−１中間周波信号及び第２−１中間周波信号から成るＢＳ中間周波信号をＢＳ受信信号に戻し，地上波放送及び衛星放送を視聴する。
【００２２】
次に，アップコンバータ１００について説明する。図４は，アップコンバータの構成を説明するためのブロック図である。図４に示す様に，アップコンバータ１００では，入力端子Ｔｉｎから入力された伝送信号は，信号の一部を分岐する分岐器１０１，及び通過可能周波数帯域が０乃至７７０ＭＨｚであるローパスフィルタ（以下「ＬＰＦ」という。）１０２を介して出力端子Ｔｏｕｔから出力される。
又，本願の実施形態では分岐器１０１により分岐された伝送信号は，増幅器１０３を介して２分配器１０４に入力される。この分配器１０４によって２分配された信号の一方は２分配器１０５に，他方はＢＰＦ１１６に入力される。更に２分配器１０５の出力は夫々ＢＰＦ１０６，１０８に入力される。
【００２３】
ＢＰＦ１０６の通過可能周波数帯域は，少なくとも２５０．５６乃至２７７．５６ＭＨｚであり，前記伝送信号（所謂ＢＳ中間周波信号）から，前記チャンネル９に対応するＢＳチャンネル中間周波数の信号を抽出するためのものである。またＢＰＦ１０８の通過可能周波数帯域は，少なくとも３６５．６４乃至４３２ＭＨｚであり，前記伝送信号（所謂ＢＳ中間周波信号）から，前記チャンネル３，１に対応するＢＳチャンネル中間周波数の信号を抽出するためのものである。ＢＰ１０７，１０８を通過した信号は混合器１０９によって混合された後にミキサ１１０に入力される。
ＢＰＦ１１６の通過可能周波数帯域は少なくとも２８８．９２乃至３５４，２８ＭＨｚであるので，前記伝送信号（所謂ＢＳ中間周波信号）から，前記チャンネル１５，１３に対応するＢＳチャンネル中間周波信号が抽出され，これらのＢＳチャンネル中間周波信号はミキサ１２０に入力される。
【００２４】
又，ヘッドエンド１のダウンコンバータ部２０と同様に，ミキサ１１０には，発振周波数１４６６．９８ＭＨｚの局部発振器１３９から出力される第３基準信号が，増幅器１４０及びＢＰＦ１４１（通過可能周波数：１４６６．９８ＭＨｚ）を介して入力され，ミキサ１１０は，２５０．５６乃至２７７．５６ＭＨｚ及び３６５．６４乃至４３２ＭＨｚから成る第１−１ＢＳ中間周波信号を，１４６６．９８ＭＨｚの第３基準信号を用いて周波数変換し，ＢＰＦ１１１（通過可能周波数帯域：１０３０乃至１２２０ＭＨｚ）に入力する。このため，ＢＰＦ１１１からは，チャンネル１，３，９に対応する１０３４．９８乃至１２１６．４２ＭＨｚのＢＳ受信信号が出力されることになる。
又，ヘッドエンド１のダウンコンバータ部２０と同様に，ミキサ１２０には，発振周波数１６２０．４２ＭＨｚの局部発振器１４２から出力される第４基準信号が，増幅器１４３及びＢＰＦ１４４（通過可能周波数：１６２０．４２ＭＨｚ）を介して入力される。ミキサ１２０は，２８８．９２乃至３５４．２８ＭＨｚの第２−１ＢＳ中間周波信号を，１６２０．４２ＭＨｚの第４基準信号を用いて周波数変換し，ＢＰＦ１２１（通過可能周波数帯域：１２６０乃至１３３７ＭＨｚ）に入力し，ＢＰＦ１２１からは，チャンネル１３，１５に対応する１２６６．１４乃至１３３１．１５ＭＨｚのＢＳ受信信号が出力されることになる。そして，チャンネル１，３，９に対応した１０３４．９８乃至１２１６．４２ＭＨｚのＢＳ受信信号及びチャンネル１３，１５に対応する１２６６．１４乃至１３３１．５ＭＨｚのＢＳ受信信号は，混合器１１２によって混合された後に，ハイパスフィルタ（以下「ＨＰＦ」という。）１１３（通過可能周波数帯域：１０３０ＭＨｚ以上）を介して出力端子Ｔｏｕｔから出力される。
【００２５】
そして，出力端子Ｔｏｕｔからの出力信号は，図１に示すように分波器７を介して，ＶＨＦ，ＵＨＦ帯域（９０乃至７７０ＭＨｚ）の信号はテレビ受信機９に入力され，チャンネル１，３，９，１３，１５に対応するＢＳ受信信号（１０３４．９８乃至１２１６．４２ＭＨｚ及び１２６６．１４乃至１３３１．５ＭＨｚ）は，ＢＳチューナ８を介してテレビ受信機に入力される。
【００２６】
尚，アップコンバータ１００においては，チャンネル９とチャンネル３，１を抽出するためにＢＰＦ１０６と１０８とを用いて構成したが，ＢＰＦとチャンネル５，７の通過を阻止するＢＥＰとの組み合わせでもよいなど，この実施例に限定されるものではなくてもよい，更には，ＢＰＦ１１１の替わりに通過可能周波数帯域が１２２０ＭＨｚまでのＬＰＦと，ＢＰＦ１２１の替わりに通過可能周波数帯域が１２６０ＭＨｚ以上のＨＰＦを用いても良く，この実施例に限定されるものではない。
また，本願の実施例ではＬＰＦ１０２とＨＰＦ１１３とで，ＣＡＴＶシステムで伝送している７０乃至７７０ＭＨｚの信号とＢＳ受信信号とを合成して出力端子Ｔｏｕｔから出力するように構成された例を示したが，出力端子を２つ備えることによって，各端子から７０乃至７７０ＭＨｚのＣＡＴＶ信号とＢＳ受信信号とを出力するように構成してもよく，この場合は，アップコンバータ２０にはＬＰＦ１０２とＨＰＦ１１３は必要ないし，加入者端末側には分波器７が必要なくなる。
【００２７】
尚，本実施例において，ダウンコンバータ２０におけるＢＰＦ２２，ＢＰＦ３２が前述のＢＳ受信信号抽出手段に相当し，局部発振器３９，増幅器４０，ＢＰＦ４１，局部発振器４２，増幅器４３，ＢＰＦ４４が前述の第１基準信号生成手段に相当し，ミキサ２３，ミキサ３３が前述の第１周波数変換手段に相当し，ＢＰＦ２５，ＢＰＦ２６，ＢＰＦ２７，ＢＰＦ３５，ＢＰＦ３６が前述の第１ＢＳチャンネル中間周波信号抽出手段に相当し，混合器２８，混合器３８，混合器３０，混合器１３が前述の伝送信号混合手段に相当する。
また，アップコンバータ１００におけるＢＰＦ１０６，１０８，１１６が前述の第２ＢＳ中間周波信号抽出手段に相当し，局部発振器１３９，増幅器１４０，ＢＰＦ１４１，局部発振器１４２，増幅器１４３，ＢＰＦ１４４が前述の第２基準信号生成手段に相当し，ミキサ１１０，ＢＰＦ１１１，ミキサ１２０，ＢＰＦ１２１が前述の第２周波数変換手段に相当し，混合器１１２が前述のＢＳ受信信号混合手段に相当する。
【００２８】
続いて，本実施例のＣＡＴＶシステムの効果について説明する。本実施例のＣＡＴＶシステムによれば，ヘッドエンド１のダウンコンバータ部２０にて，チャンネル１，３，５，７，９に対応する１０３４，９８乃至１２１６．４２ＭＨｚの第１グループのＢＳ受信信号は，１４６６．９８ＭＨｚの第１基準信号を用いて，２５０．５６乃至４３２ＭＨｚの第１ＢＳ中間周波信号に周波数変換され，チャンネル１３，１５に対応する１２６６．１４乃至１３３１．５ＭＨｚのＢＳ受信信号は，１６２０．４２ＭＨｚの第２基準信号を用いて，３６５．６４乃至４３２ＭＨｚの第２ＢＳ中間周波信号に周波数変換されると共に，第１ＢＳ中間周波信号及び第２ＢＳ中間周波信号から，ＢＳチャンネル中間周波信号抽出手段において第１−１ＢＳ中間周波信号としてチャンネル９，３，１が，第２−１ＢＳ中間周波信号としてチャンネル１５，１３が選択的に抽出された各ＢＳチャンネル中間周波信号を，互いに周波数が異なり，且つ，連続したチャンネル配列（チャンネル９，１５，１３，３，１）となるように周波数変換して伝送線上に送出されるように構成されている。
【００２９】
即ち，本願の実施例によれば，ＢＳ受信信号においては略３００ＭＨｚにわたって不連続に配列されたチャンネル１，３，９，１３，１５を，従来例と同様に２グループに分けて周波数変換して，夫々，ＶＨＦ帯とＵＨＦ帯との間に位置する中間帯域内（所謂，スーパーハイバンドとして知られる２２２乃至４６８ＭＨｚの帯域）に周波数変換する方法であっても，前記５チャンネル分のＢＳチャンネル中間周波信号を略１８２ＭＨｚの周波数範囲であるＢＳ中間周波信号に，互いに周波数が異なり，前記チャンネルが連続的に配列されるように構成したことによって，周波数の有効利用ができるばかりでなく，前記中間帯域内に占める割合が必要以上に広くならない（即ち，ＶＨＦ帯の上限周波数及びＵＨＦ帯の下限周波数とＢＳ中間周波信号との間の阻止帯域が広くなる。）ことからＢＰＦ等のフィルタ手段の開発が簡単になるばかりでなく，フィルタ手段の構成が簡単に成るため，安価で且つ小型で，所望の特性の特性を有するダウンコンバータを備えたＣＡＴＶシステムが提供できるのである。
そして，アップコンバータ１００において，第１−１ＢＳ中間周波信号及び第２−１ＢＳ中間周波信号を元のＢＳ受信信号に戻すので，アップコンバータ１００において周波数変換した後のＢＳ受信信号のチャンネル配列は，元のＢＳ受信信号のチャンネル配列と同じである。このため，加入者側端末では，既存のＢＳチューナを用いてＢＳ放送を正しく受信することができる。
【００３０】
以上，本発明の第１実施例について説明したが，本発明は前述した実施例に何等限定されるものではなく，種々の態様において各部の構成を適宜に変更して実施しても良いことはもちろんである。
【図面の簡単な説明】
【００３１】
【図１】実施例のＣＡＴＶシステムの全体構成を示すブロック図である。
【図２】実施例のヘッドエンドの構成を説明するためのブロック図である。
【図３】実施例のＢＳ受信信号，第１ＢＳ中間周波信号，第２ＢＳ中間周波信号の周波数分布図である。
【図４】実施例のアップコンバータの構成を説明するためのブロック図である。
【符号の説明】
【００３２】
１…ヘッドエンド，２…幹線増幅器，３…延長増幅器，４…タップオフ，５…保安器，６…同軸ケーブル，７…分波器，８…ＢＳチューナ，９…テレビ受像機，１１…地上波放送受信アンテナ…，１２・１５…受信増幅器，１３・２８・２９・３８・１０９・１１２…混合器，１４…ＢＳアンテナ，２０…ダウンコンバータ部，２１・２４・３４・１０４・１０５・１１５…分配器，２２・２５・２６・２７・２９・３２・３５・３６・３９・４１・４４・１０６・１０８・１１１・１１６・１２１・１４１・１４４…フィルタ手段（ＢＰＦ），４０・４３・１０３・１４０・１４３…増幅器，２３・３３…周波数変換部，３９・４２・１３９・１４２…局部発振器，１０１…分岐器，１０２…フィルタ手段（ＬＰＦ：ローパスフィルタ），１１３…フィルタ手段（ＨＰＦ：ハイパスフィルタ）
【図１】
2007005925.tif 000003
【図２】
2007005925.tif 000004
【図３】
2007005925.tif 000005
【図４】
2007005925.tif 000006